(57)【要約】【課題】本体ケース側に開口を形成することなく操作ボタンを押し出し方向へ付勢可能で、防水性の高いインターホン機器を提供する。【解決手段】呼出ボタン２の後面に、本体ケースの取付凹部内面に接触して呼出ボタン２を反押し込み方向へ付勢する一対の弾性片２１、２１を設けた。そのため、本体ケース側に、たとえば弾性片を切り起こし成形するにあたり生じる開口等が形成されない。したがって、従来よりも本体ケースに開設される開口の数や面積を低減することができるため、本体ケース内への水の浸入経路が少なくなり、ひいてはインターホン子機の防水性を向上することができる。【選択図】図３
2009225307.tif 000002
【特許請求の範囲】
【請求項１】
内部に電子基板を収納してなる本体ケースに、押し込み操作可能な操作ボタンが取り付けられてなるインターホン機器であって、
前記操作ボタンの押し込み方向で後面に、前記本体ケースに接触して前記操作ボタンを反押し込み方向へ付勢する弾性部を設けたことを特徴とするインターホン機器。
【請求項２】
前記操作ボタンの押し込み方向で後面に、切り起こしによって弾性を有する舌片を設け、当該舌片の先端に、後方へ突出する突起部を設ける一方、
前記本体ケースに、前記舌片の前記突起部よりも基端側を収容可能な収容凹部を設け、
前記操作ボタンが押し込み操作された際、前記舌片の前記突起部よりも基端側は前記収容凹部内で撓み、前記突起部のみが前記本体ケースと接触して、当該突起部を支点として前記操作ボタンに付勢力が働くようにしたことを特徴とする請求項１に記載のインターホン機器。
【発明の詳細な説明】
【技術分野】
【０００１】
本発明は、玄関に設置されるインターホン子機等の押し込み操作可能な操作ボタンを有するインターホン機器に関するものである。
【背景技術】
【０００２】
従来、本体ケースに押し込み操作可能な操作ボタンを設けてなるインターホン機器としては、たとえば特許文献１に開示されているようなインターホン機器が一般的に知られている。
この周知のインターホン機器においては、操作ボタンを本体ケース外方へ押し出すとともに押し出し位置にて保持するための弾性片を、本体ケースにコ字状のスリットを形成する又は本体ケースに切り起こし部を設ける等して、本体ケースに一体成形していた。
【０００３】
【特許文献１】特開２００５−４５７０４号公報
【発明の開示】
【発明が解決しようとする課題】
【０００４】
しかしながら、上記従来のインターホン機器では、弾性片を設けるにあたり、本体ケースにスリットや切り起こし等の開口が形成されるため、当該開口を介して雨水等が本体ケース内へ浸入し、制御基板等の各種基板に悪影響を及ぼすおそれがあった。
【０００５】
そこで、本発明は、上記課題に鑑みなされたものであって、本体ケース側に開口を形成することなく操作ボタンを押し出し方向へ付勢可能で、防水性の高いインターホン機器を提供しようとするものである。
【課題を解決するための手段】
【０００６】
上記目的を達成するために、本発明のうち請求項１に記載の発明は、内部に電子基板を収納してなる本体ケースに、押し込み操作可能な操作ボタンが取り付けられてなるインターホン機器であって、操作ボタンの押し込み方向で後面に、本体ケースに接触して操作ボタンを反押し込み方向へ付勢する弾性部を設けたことを特徴とする。
この構成によれば、操作ボタンの押し込み方向で後面に、本体ケースに接触して操作ボタンを反押し込み方向へ付勢する弾性部を設けているため、本体ケース側に、たとえば弾性部を切り起こし成形するにあたり生じる開口等が形成されない。したがって、従来よりも本体ケースに開設される開口の数や面積を低減することができるため、本体ケース内への水の浸入経路が少なくなり、ひいてはインターホン機器の防水性を向上することができる。
【０００７】
請求項２に記載の発明は、請求項１に記載の発明において、操作ボタンの押し込み方向で後面に、切り起こしによって弾性を有する舌片を設け、当該舌片の先端に、後方へ突出する突起部を設ける一方、本体ケースに、舌片の突起部よりも基端側を収容可能な収容凹部を設け、操作ボタンが押し込み操作された際、舌片の突起部よりも基端側は収容凹部内で撓み、突起部のみが本体ケースと接触して、当該突起部を支点として操作ボタンに付勢力が働くようにしたことを特徴とする。
この構成によれば、操作ボタンが押し込み操作された際、舌片の突起部よりも基端側は収容凹部内で撓み、突起部のみが本体ケースと接触して、当該突起部を支点として操作ボタンに付勢力が働くため、舌片の基端側が本体ケースに接触する構成と比較して、操作ボタンに対して大きな付勢力を働かせることができ、押し込まれた操作ボタンを確実に押し出すことができる。
【発明の効果】
【０００８】
本発明によれば、操作ボタンの押し込み方向で後面に、本体ケースに接触して操作ボタンを反押し込み方向へ付勢する弾性部を設けているため、本体ケース側に、たとえば弾性部を切り起こし成形するにあたり生じる開口等が形成されない。したがって、従来よりも本体ケースに開設される開口の数や面積を低減することができるため、本体ケース内への水の浸入経路が少なくなり、ひいてはインターホン機器の防水性を向上することができる。
【発明を実施するための最良の形態】
【０００９】
以下、本発明の一実施形態となるインターホン子機について、図面にもとづき詳細に説明する。
【００１０】
図１は、インターホン子機１の外観を示した斜視説明図である。図２は、呼出ボタン２が取り外された状態を示したインターホン子機１の斜視説明図であり、図３は、呼出ボタン２の後面側を示した斜視説明図である。
インターホン子機１は、玄関等に設置され、居室内等に設置される図示しないインターホン親機を呼び出すとともに、インターホン親機と通話可能に接続されるものであって、図示しない取付台に取り付けられる後ケース３と、当該後ケース３にその前面を覆うように組み付けられる前ケース４とからなる本体ケース５を有している。そして、本体ケース５の前面（前ケース４）には、通話のためのマイク部６やスピーカ部７、インターホン親機を呼び出した来訪者等を撮像するためのカメラ部８等が設けられているとともに、インターホン親機を呼び出すための呼出ボタン２が押し込み操作可能に設けられている。
【００１１】
ここで、本発明の要部となる呼出ボタン２、及びその取付構造について説明する。
本体ケース５の前面下部には、呼出ボタン２を取り付けるための取付凹部１１が設けられており、取付凹部１１内の上部には、呼出ボタン２を軸支するための軸受部１２、１２が設けられている。また、取付凹部１１内の略中央には、本体ケース５内部で取付凹部１１の後方となる位置に収納されるスイッチ（図示せず）を露出させるための操作窓１３が開設されている。さらに、当該操作窓１３の上縁及び左右側縁に沿って、第１防水リブ片１４が前方へ立設されており、操作窓１３を介しての水の浸入を防止可能としている。また、第１防水リブ片１４の周囲には、操作窓１３への水の到達を防止するための正面視が門形となる第２防水リブ片１５が前方へ立設されている。この第１防水リブ片１４及び第２防水リブ片１５は、その上部が左右方向へ下降傾斜するテーパ状に形成されており、水滴をリブ片上面（すなわち操作窓１３上方）に溜めることなく左右へ流下させるようになっている。加えて、操作窓１３の左右両側には、後述する呼出ボタン２の弾性片２１、２１の一部を収容する収容凹部１６、１６が設けられている。尚、１７は、呼出ボタン２を取付凹部１１内で保持するための係止孔である。
【００１２】
一方、呼出ボタン２の上部には、上記軸受部１２にて軸支される軸部２２、２２が上方へ突設されている。また、呼出ボタン２の後面の略中央には、スイッチをＯＮ／ＯＦＦするための操作突起２３が後方へ突設されている。さらに、操作突起２３の上方には、後面視が山形の第３防水リブ片２４が立設されている。当該第３防水リブ片２４は、呼出ボタン２の取付状態において第１防水リブ片１４と第２防水リブ片１５との隙間に嵌入するようになっており、水の操作窓１３への到達を一層防止可能としている。尚、２５は、呼出ボタン２の取付状態において係止孔１７に係止し、呼出ボタン２の取付凹部１１内からの脱落を防止する係止片である。
【００１３】
また、呼出ボタン２の後面の左右両側部には、呼出ボタン２を取付凹部１１内へ取り付けた際に当該呼出ボタン２を前方（反押し込み方向）へ付勢するとともに押し出し位置で保持するための一対の弾性片２１、２１が設けられている。各弾性片２１は、呼出ボタン２の後面をコ字状に後方へ切り起こしてなる舌片であって、後方へ膨出する舌部２１ａの下端には、更に後方へ突出する突起部２１ｂが設けられている。そして、呼出ボタン２の取付凹部１１内への取付状態において各弾性片２１は、その舌部２１ａが収容凹部１６内に収容され、突起部２１ｂが収容凹部１６下側で取付凹部１１に当接した状態で、呼出ボタン２を前方へ付勢するようになっている。そして、図４に示す如く、呼出ボタン２が押し込み操作された場合、舌部２１ａは収容凹部１６内で底面に接触することなく撓み、呼出ボタン２との連結部から最も離れた位置にある突起部２１ｂを支点として付勢力が作用するようにしている。したがって、舌部２１ａが収容凹部１６底面等の取付凹部１１内面に接触する場合と比較して、呼出ボタン２に働く押し出し方向への付勢力をより大きな力とすることができ、呼出ボタン２を確実に押し出し位置へ復帰させることができる。
【００１４】
以上のような構成を有するインターホン子機１によれば、呼出ボタン２を押し出し方向へ付勢するための弾性片２１、２１を本体ケース５側ではなく呼出ボタン２側に設けているため、弾性片２１を設けるにあたり形成されていた開口が本体ケース５に開設されない。したがって、従来と比較して本体ケース５に開設される開口の数や面積を低減することができるため、本体ケース５内への水の浸入経路が少なくなり、ひいてはインターホン子機１の防水性を向上することができる。
【００１５】
また、弾性片２１の下端に取付凹部１１内面に接触する突起部２１ｂを設けるとともに、取付凹部１１内に、弾性片２１の舌部２１ａを収容可能な収容凹部１６を設けており、呼出ボタン２が押し込み操作された際にも、舌部２１ａが取付凹部１１内面に接触せず、突起部２１ｂを支点として付勢力が作用するように構成している。したがって、舌部２１ａが取付凹部１１内面に接触する構成と比較して、呼出ボタン２に働く押し出す方向への付勢力を大きくすることができ、呼出ボタン２を確実に押し出し位置へ復帰させることができる。
さらに、本体ケース５側には、操作窓１３の左右及び上方を囲むような第１防水リブ片１４と第２防水リブ片１５とを立設する一方、呼出ボタン２側には、取付状態において第１防水リブ片１４と第２防水リブ片１５との隙間に嵌入する第３防水リブ片２４を設けている。したがって、操作窓１３を介しての水の浸入を確実に防止することができ、防水性の更なる向上を図ることができる。
【００１６】
なお、本発明に係るインターホン機器は、上記実施形態に記載の態様に何ら限定されるものではなく、呼出ボタン２及び本体ケース５に係る構成を、本発明の趣旨を逸脱しない範囲で、必要に応じて適宜変更することができる。
【００１７】
たとえば、呼出ボタン２を押し出し位置で保持するための弾性部に係る構成は上記弾性片２１に何ら限定されることはなく、バネや弾性を有するゴム等の弾性部材を呼出ボタン２側に保持させてなる弾性部としてもよい。
また、上記実施形態では、操作ボタンを有するインターホン機器の一実施形態であるインターホン子機１について説明しているが、本発明はインターホン子機１に何ら限定されることはなく、操作ボタンを有するインターホン機器であれば、インターホン子機１以外のインターホン機器、たとえば応答ボタン（操作ボタン）を有するインターホン親機等であってもよい。
【図面の簡単な説明】
【００１８】
【図１】インターホン子機の外観を示した斜視説明図である。
【図２】呼出ボタンが取り外された状態を示したインターホン子機の斜視説明図である。
【図３】呼出ボタンの後面側を示した斜視説明図である。
【図４】インターホン子機の呼出ボタン位置での断面を部分的に示した説明図である。
【符号の説明】
【００１９】
１・・インターホン子機（インターホン機器）、２・・呼出ボタン（操作ボタン）、３・・後ケース、４・・前ケース、５・・本体ケース、１１・・取付凹部、１２・・軸支部、１３・・操作窓、１４・・第１防水リブ片、１５・・第２防水リブ片、１６・・収容凹部、２１・・弾性片（弾性部）、２１ａ・・舌部（弾性部）、２１ｂ・・突起部（弾性部）、２２・・軸部、２３・・操作突起、２４・・第３防水リブ片。
【図１】
2009225307.tif 000003
【図２】
2009225307.tif 000004
【図３】
2009225307.tif 000005
【図４】
2009225307.tif 000006